(57)【要約】【課題】製品コストの増加及び大型化を抑えたＭＲＡＭを用いて、磁気メモリのプログラムが破壊されたとしても、その磁気が解消しさえすれば、再び正常に動作するカメラシステムを提供できるようにする。【解決手段】強い磁場等の影響によりＭＲＡＭ記憶部６ｂに記憶しているプログラムが破壊される可能性があることを検出する磁気破壊可能性判定部１ａを配設して、ＭＲＡＭ記憶部６ｂが破壊される恐れがあると判定した場合には、ＭＲＡＭ記憶部６ｂに記憶しているプログラムをバックアップ記憶部７ｂへ退避させるとともに、その磁気が解消した場合には、前記バックアップ記憶部７ｂへ退避させたプログラムを前記ＭＲＡＭ記憶部６ｂへ復帰させるようにして、外界からの強い磁気によって磁気メモリのプログラムが破壊されたとしても、その磁気が解消しさえすれば、再び正常に動作することができるようにする。【選択図】図２
2011061374.tif 000002
【特許請求の範囲】
【請求項１】
ＭＲＡＭ（Magnetoresistive Random Access Memory）で構成されたＭＲＡＭ記憶部に記憶されたプログラムに従って、カメラシステムの全体動作を制御するシステム制御手段と、
前記ＭＲＡＭ記憶部に記憶されたプログラムを記憶するバックアップ記憶部と、
前記ＭＲＡＭ記憶部に記憶されたプログラムを前記バックアップ記憶部に退避させるとともに、前記バックアップ記憶部に記憶されたプログラムを前記ＭＲＡＭ記憶部に復帰させるバックアップ制御手段と、
前記ＭＲＡＭ記憶部に加わる磁気を検出する磁気検出手段と、
前記磁気検出手段の出力に基づいて、前記ＭＲＡＭ記憶部が磁気破壊される可能性があるかを判定する磁気破壊可能性判定手段とを有し、
前記システム制御手段は、前記磁気破壊可能性判定手段によって、前記ＭＲＡＭ記憶部が磁気破壊される可能性があると判定されている間は、前記バックアップ記憶部へプログラムを退避させ、前記磁気破壊可能性判定手段によって、前記ＭＲＡＭ記憶部が磁気破壊される可能性がないと判定された場合には、前記バックアップ記憶部へ退避させたプログラムを前記ＭＲＡＭ記憶部へ復帰させることを特徴とするカメラシステム。
【請求項２】
前記バックアップ記憶部、及び前記バックアップ制御手段は、前記ＭＲＡＭ記憶部よりも磁気の影響を受けないように構成されていることを特徴とする請求項１に記載のカメラシステム。
【請求項３】
前記バックアップ記憶部、及び前記バックアップ制御手段は、前記ＭＲＡＭ記憶部より磁気の影響を受け難くするための磁気シールドを施されて構成されていることを特徴とする請求項１に記載のカメラシステム。
【請求項４】
前記磁気検出手段は、撮影レンズの手ブレ補正光学系の位置検出用のホール素子を兼用することを特徴とする請求項１〜３の何れか１項に記載のカメラシステム。
【請求項５】
ＭＲＡＭ（Magnetoresistive Random Access Memory）で構成されたＭＲＡＭ記憶部に記憶されたプログラムに従って、カメラシステムの全体動作を制御するシステム制御工程と、
前記ＭＲＡＭ記憶部に記憶されたプログラムをバックアップ記憶部に退避させるとともに、前記バックアップ記憶部に退避させたプログラムを前記ＭＲＡＭ記憶部に復帰させるバックアップ制御工程と、
前記ＭＲＡＭ記憶部に加わる磁気を検出する磁気検出工程と、
前記磁気検出工程の出力に基づいて、前記ＭＲＡＭ記憶部が磁気破壊される可能性があるかを判定する磁気破壊可能性判定工程とを有し、
前記システム制御工程は、前記磁気破壊可能性判定工程によって、前記ＭＲＡＭ記憶部が磁気破壊される可能性があると判定されている間は、前記バックアップ記憶部へプログラムを退避させ、前記磁気破壊可能性判定工程によって、前記ＭＲＡＭ記憶部が磁気破壊される可能性がないと判定された場合には、前記バックアップ記憶部へ退避させたプログラムを前記ＭＲＡＭ記憶部へ復帰させることを特徴とするカメラシステムの制御方法。
【発明の詳細な説明】
【技術分野】
【０００１】
本発明は、ＭＲＡＭ（Magnetoresistive Random Access Memory：磁気抵抗メモリ）により記憶媒体が構成されたカメラシステムの改良に関するものである。
【背景技術】
【０００２】
一般的な交換レンズ式一眼レフカメラのシステムでは、カメラ本体及び交換レンズがそれぞれ個々にＭＰＵ（マイクロプロセッシングユニット）を内蔵し、お互いに通信することで全体として機能している。具体的には、それぞれのＭＰＵがモータや各種センサ、操作スイッチ等を制御し、それらの情報を相互に伝達することで、カメラ本体のミラー制御や撮影動作、交換レンズの距離環駆動や絞込み制御等を行っている。
【０００３】
ＭＰＵは、ファームウエアと呼ばれるプログラムや、プログラムが動作する上で必要となるデータをメモリへ格納することで動作する。このメモリとしては、ＤＲＡＭやＳＤＲＡＭなどの揮発性メモリ、フラッシュメモリやＥＥＰＲＯＭなどの不揮発メモリが広く使われている。
【０００４】
ＤＲＡＭやＳＤＲＡＭは、大容量かつ、読み書きが高速であり、書き換え耐久回数は実用上ほぼ無限であるが、プログラムやデータを保持するためには電力を必要とし、カメラ動作中のみならず、カメラを動作させていなくとも、バッテリを消耗させる特徴がある。一方、フラッシュメモリやＥＥＰＲＯＭは、ＤＲＡＭやＳＤＲＡＭと比較して、書き込みが低速であり、また書き換え耐久回数は数１００から数１００万回程度である。しかしながら、不揮発性であるので、メモリへの電源を遮断さえすれば、バッテリの消耗を防げる特徴がある。
【０００５】
そこで、一般的なカメラシステムでは、これらのメモリの特徴を生かして、プログラムはフラッシュメモリへ格納し、カメラ動作中のデータはＤＲＡＭやＳＤＲＡＭへ格納している。そして、カメラを停止させる場合には、ＤＲＡＭやＳＤＲＡＭで保持が必要なデータをＥＥＰＲＯＭへ退避させ、再び動作させるときにＤＲＡＭやＳＤＲＡＭへデータを復帰させることでバッテリの消耗を防ぐ工夫をしている。
【０００６】
これに対して、ＭＲＡＭは、記憶素子としてハードディスクなどと同じ磁性体を用いたメモリであり、ＤＲＡＭやＳＤＲＡＭと同様に、書き換え耐久回数は実用上ほぼ無限であり、かつ、ＤＲＡＭやＳＤＲＡＭと比較して省電力である。したがって、カメラシステムのようなバッテリで動作することを前提とした組み込み機器では、より長時間の動作が可能となる。また、ＭＲＡＭは、フラッシュメモリやＥＥＰＲＯＭと同様に不揮発性という特徴も併せ持っている。
【０００７】
したがって、このＭＲＡＭによってカメラシステムを構成すれば、カメラ停止／動作時のＥＥＰＲＯＭへのデータ退避／復帰という動作が不要になり、カメラシステムを高速に起動することが可能となる。このようなＭＲＡＭの特徴を活かした組み込み機器として、特許文献１において車載制御装置が開示されている。
【０００８】
このように優れた特徴を持ったＭＲＡＭではあるが、磁気記憶であるがゆえに、外界からの強い磁気によって、メモリ内容が破壊されるという欠点も有している。しかしながら、先の特許文献１においては、この磁気破壊への対処方法については何ら開示されていない。一般的な車載制御装置においては、磁気的にシールドされたシャーシ内に設置されるため、ＭＲＡＭの欠点である磁気破壊については、製品実施化を図る上で大きな障害にはならない。
【先行技術文献】
【特許文献】
【０００９】
【特許文献１】特開２００３−１０４１３７号公報
【発明の概要】
【発明が解決しようとする課題】
【００１０】
しかしながら、カメラシステムにおいては、前述の欠点を克服するために、車載制御装置と同様に機器全体を磁気的にシールドすれば製品コストが増加してしまう問題点があった。また、機器全体を磁気的にシールドすればカメラシステムが大型化してしまう問題点があった。このため、ＭＲＡＭを用いて、製品コストの増加及び大型化を抑えたカメラシステムを構成すると、磁気メモリのプログラムが破壊される危険があるので、ＭＲＡＭを用いて製品コストの増加及び大型化を抑えたカメラシステムを構成することは困難であった。
本発明は前述の問題点に鑑み、製品コストの増加及び大型化を抑えたＭＲＡＭを用いたカメラシステムを提供できるようにすることを目的とする。
【課題を解決するための手段】
【００１１】
本発明のカメラシステムは、ＭＲＡＭ（Magnetoresistive Random Access Memory）で構成されたＭＲＡＭ記憶部に記憶されたプログラムに従って、カメラシステムの全体動作を制御するシステム制御手段と、前記ＭＲＡＭ記憶部に記憶されたプログラムを記憶するバックアップ記憶部と、前記ＭＲＡＭ記憶部に記憶されたプログラムを前記バックアップ記憶部に退避させるとともに、前記バックアップ記憶部に記憶されたプログラムを前記ＭＲＡＭ記憶部に復帰させるバックアップ制御手段と、前記ＭＲＡＭ記憶部に加わる磁気を検出する磁気検出手段と、前記磁気検出手段の出力に基づいて、前記ＭＲＡＭ記憶部が磁気破壊される可能性があるかを判定する磁気破壊可能性判定手段とを有し、前記システム制御手段は、前記磁気破壊可能性判定手段によって、前記ＭＲＡＭ記憶部が磁気破壊される可能性があると判定されている間は、前記バックアップ記憶部へプログラムを退避させ、前記磁気破壊可能性判定手段によって、前記ＭＲＡＭ記憶部が磁気破壊される可能性がないと判定された場合には、前記バックアップ記憶部へ退避させたプログラムを前記ＭＲＡＭ記憶部へ復帰させることを特徴とする。
【発明の効果】
【００１２】
本発明によれば、外界からの強い磁気によって磁気メモリのプログラムが破壊されたとしても、その磁気が解消しさえすれば、再び正常に動作することができるようにした。これにより、製品コストの増加及び大型化を抑えたＭＲＡＭを用いたカメラシステムを提供することが可能になり、ＭＲＡＭを用いることで、バッテリでの長時間の動作が可能となる。また、カメラシステムが起動中に強い磁気に曝され、ＭＲＡＭのプログラムが破壊されたとしても、その磁気が解消されさえすれば、再び正常に動作するカメラシステムを提供することができる。
【図面の簡単な説明】
【００１３】
【図１】本発明の実施形態を示し、カメラシステムの全体構成を説明するブロック図である。
【図２】本発明の実施形態を示し、カメラシステムが起動中に強い磁気を検出した場合に行われる処理手順の一例を説明するフローチャートである。
【図３】本発明の実施形態の変形例を示し、カメラシステムの全体構成を説明するブロック図である。
【図４】本発明の実施形態に係るホール素子を説明する図である。
【図５】カメラシステムの主要な機能構成を説明するためのブロック図である。
【発明を実施するための形態】
【００１４】
（磁気シールドについて）
ＰＣ（パーソナルコンピュータ）のハードディスクのようにデータが破壊される可能性のある機器においては、それに備えて、バックアップを取るという方法が一般的である。ただし、ＰＣにおけるバックアップとは、既にユーザがインストールしたプログラムを容易に再インストールしたり、ユーザが作成したデータの複製を取ったりするということを主眼に置いている。ＰＣにおいても、ＯＳ（オペレーティングシステム）を起動したり、各種ハードウエアの制御を行ったりするためのファームウエアが存在するが、ファームウエアのバックアップを取るような設計はなされていない。これは、ファームウエアのプログラムが破壊されたことに起因する故障が非常に稀なためである。
【００１５】
しかしながら、ＭＲＡＭを用いた組み込み機器、特に、カメラシステムにＭＲＡＭを適用する場合には、ファームウエアの破壊についての対応が必要である。一般的に、ＭＲＡＭの内容が破壊されるような強い磁気を受ける危険は低いと考えられる。例えば、発電所のタービンの付近、スピーカーのボイスコイルの直近、磁気クレーンで運ばれているコンテナ内などにカメラが曝される可能性は極めて低い。
【００１６】
しかしながら、このような極めて稀な条件下でも、撮影できるように機器全体を磁気的にシールドするのも１つの製品のあり方であるが、製品コストの増加と、機器全体の大型化がユーザにとって見合ったものであるかは、ユーザの選択に委ねるべきである。実際、製品コストが増加したり、機器全体が大型化したりしても、工事現場などの厳しい撮影環境下で耐え得る頑健なカメラシステムが実用化されている。
【００１７】
一方で、例えば、一般的なアナログ時計の針が、強い磁気で停止してしまうことは、広く知られている。これを停止しないような構成とすることは可能ではあるが、製品コストの増加、及び機器全体が大型化してしまう不都合がある。このような不都合は、強い磁気でも停止しないように、カメラシステムを構成した場合にも同様に起こり得る。この例において重要なのは、強い磁気で停止してしまったアナログ時計も磁気の影響がなくなれば、また正常に動作することにある。
【００１８】
すわなち、カメラシステムが起動中に強い磁気に曝され、その条件下ではカメラシステムが動作しなくとも、その条件が解消しさえすれば、再び正常に動作するカメラシステムを構成することは、より多くの一般ユーザにとっては有益である。このような技術思想を適用したカメラシステムの実施形態を、以下に説明する。
【００１９】
（第１の実施形態）
図１は、本発明のカメラシステムを実施するための最良の実施形態に係る光学機器の一例である交換レンズ式一眼レフカメラ１００の構成例を示すブロック図である。
図１において、１はレンズＭＰＵ（マイクロプロセッシングユニット）、２は撮影レンズを駆動するためのレンズ駆動ユニット、３は絞りを駆動するための絞り駆動ユニット、４は撮影レンズの距離環位置を検出するための距離環位置検出ユニットである。５は撮影レンズの手ブレを補正するための手ブレ補正ユニット（Ｉｓユニット）である。
【００２０】
距離環位置検出ユニット４は、現在の撮影レンズの相対的な繰り出し量を測定することができる。手ブレ補正ユニット５は、手ブレ補正光学系を駆動するためのＩＳユニットであり、手ブレ補正光学系の位置検出用にホール素子５ａが内蔵されている。具体的には、ＩＳ ＳＷがオンの状態であれば、図４に示すように、２コのホール素子ＨＥ１とＨＥ２の電位の差分から手ブレ補正光学系の位置検出を行い手ブレ補正を行う。手ブレ補正自体は本発明と関係がないため説明は省略する。ただし、本実施形態では、ＩＳ ＳＷがオフの状態であっても、手ブレ補正は行わないが、ホール素子５ａの位置検出は常に行っている。
【００２１】
レンズＭＰＵ１、レンズ駆動ユニット２、絞り駆動ユニット３、距離環位置検出ユニット４、ＩＳユニット５によって交換レンズ１０１は構成される。また、交換レンズ１０１は、図１中の点線で示すようにマウントを介して接続され、カメラ本体１０２と着脱可能となっている。
【００２２】
６はカメラＭＰＵである。後述するように、このカメラＭＰＵ６にはＭＲＡＭ（Magnetoresistive Random Access Memory）により構成されているＭＲＡＭ記憶部６ｂがメモリとして内蔵されている。７は退避ＭＰＵであり、この退避ＭＰＵ７には、ＳＤＲＡＭとフラッシュメモリがメモリとして内蔵されている。また、退避ＭＰＵ７は、通常の動作においては、レンズＭＰＵ１とカメラＭＰＵ６との通信を中継している。
【００２３】
８はＰＣ接続ユニットであり、このＰＣ接続ユニット８とＰＣ（図示せず）とはケーブルを介して接続することが可能で、接続時には、ＰＣ上からカメラ動作や諸設定、及びファームウエアのバージョンアップを行うことができる。９は撮影ユニットであり、１０は内蔵フラッシュメモリユニット、１１はＣＦカード記録ユニットである。
【００２４】
１２はデフォーカス量検出ユニットであり、不図示の焦点検出光学系によって導かれた被写体像を光電変換し、電位変化として出力させる。１３はカメラの諸設定（シャッタ速度、絞り値、撮影モード等）を設定するためのダイヤル／ＳＷユニットである。１４は表示ユニットであり、カメラの諸設定や、撮影画像を表示する。
【００２５】
ＳＷ１はレリーズボタンの第１ストローク操作（半押し）によりオンするスイッチ、ＳＷ２はレリーズボタンの第２ストローク操作（全押し）によりオンするスイッチである。自動焦点調節に必要となる焦点はずれ量であるデフォーカス量は、デフォーカス量検出ユニット１２からの出力によって計算される。
【００２６】
本実施形態では、メインＳＷをオンすることによってカメラシステムが起動され、さらにスイッチＳＷ１がオンされると自動焦点調節装置が動作する。デフォーカス量を検出し、このデフォーカス量に基づいて、カメラＭＰＵ６は、退避ＭＰＵ７を介してレンズＭＰＵ１へレンズ駆動命令を通信で伝達し、焦点調節を行う。また、スイッチＳＷ２がオンされているのであれば、カメラＭＰＵ６、退避ＭＰＵ７、撮影ユニット９、レンズＭＰＵ１、絞り駆動ユニット３、ＩＳユニット５が撮影のための一連の動作を行う。撮影された画像は、内蔵フラッシュメモリユニット１０、ＣＦカード記録ユニット１１に挿入された記録メディアのいずれか一方、もしくは両方に書き込まれる。
【００２７】
（発明と実施形態の対応）
本発明のカメラシステムを実現可能な機能構成と実施形態の各部との関係の一例を図５のブロック図を参照しながら説明する。
図５に示すように、ホール素子５ａを有するＩＳユニット５が磁気検出部として機能する。また、レンズＭＰＵ１に磁気破壊可能性判定部１ａ及び磁気状態送信部１ｂが構成されている。また、退避ＭＰＵ７には、バックアップ制御部７ａ及びバックアップ記憶部７ｂが構成され、ＭＲＡＭ記憶部６ｂが配設されているカメラＭＰＵ６には、カメラシステムの全体動作を制御するシステム制御部６ａが構成されている。
【００２８】
前述のように構成された本実施形態のカメラシステムにおいて、カメラシステムが起動中に強い磁気を検出した場合に行われる処理を図２（ａ）、（ｂ）のフローチャートを用いて説明する。
処理が開始されると、ステップＳ２０１において、ＩＳユニット５のホール素子５ａの出力により磁気検出を行う。次に、ステップＳ２０２において、レンズＭＰＵ１の磁気破壊可能性判定部１ａにより、ホール素子５ａの出力が正常であるかの判定を行う。
【００２９】
具体的には、カメラＭＰＵ６に配設されているＭＲＡＭ記憶部６ｂが磁気破壊される可能性がある磁気を外界から受けたとき、図４に示す通り、ホール素子ＨＥ１、ＨＥ２の双方もしくは何れかに通常とは異なる高い電位や低い電位が出力される。そこで、ＨＥ１及びＨＥ２の電位が所定の正常磁気上限値、もしくは正常磁気下限値を超えた場合には、カメラＭＰＵ６のＭＲＡＭ記憶部６ｂが磁気破壊される可能性があると磁気破壊可能性判定部１ａは判定する。この判定に応じて、レンズＭＰＵ１の磁気状態送信部１ｂから退避ＭＰＵ７へ、ＭＲＡＭ記憶部６ｂが磁気破壊する可能性があることを送信する（Ｓ２０３）。以後、ホール素子５ａの出力が正常に戻るまで、ステップＳ２０１〜ステップＳ２０３の処理を繰り返す。
【００３０】
一方、ステップＳ２０２でホール素子５ａの出力が正常と判定された場合には、ステップＳ２０４へ進み、退避ＭＰＵ７へ磁気破壊の可能性がないことを送信する。次に、ステップＳ２０５において、通常のレンズＭＰＵ１の処理を実施する。以後、ステップＳ２０１、ステップＳ２０２、ステップＳ２０４及びステップＳ２０５の処理を繰り返す。
【００３１】
これに対して、退避ＭＰＵ７は、ステップＳ２０６において行われた通信処理の内容について、レンズＭＰＵ１から磁気破壊の可能性があるとの通信を受信したかを判定する（Ｓ２０７）。この判定の結果、受信していれば、ステップＳ２０８へ進み、カメラＭＰＵ６をメモリモードへ変更して起動する処理を実行する。
【００３２】
具体的には、カメラＭＰＵ６は、リセット時の端子設定でＭＰＵとして動作するマイコンモードと、単純なＭＲＡＭメモリとみなせるメモリモードとを有している。そして、退避ＭＰＵ７からの信号に応じて、システム制御部６ａは、カメラＭＰＵ６の端子設定をマイコンモードにしてリセットをかける。
【００３３】
ステップＳ２０９において、退避ＭＰＵ７のバックアップ制御部７ａは、メモリモードで起動されたカメラＭＰＵ６のＭＲＡＭ記憶部６ｂからファームウエアを読み出して退避ＭＰＵ７のバックアップ記憶部７ｂに格納することで、ファームウエアを退避させる。次に、ステップＳ２１０で、レンズＭＰＵ１から磁気破壊の可能性がないことを受信するまで待機する。なお、実用上、ＭＲＡＭが実際に強い磁気により破壊されるまでにかかる時間は、ステップＳ２０２でホール素子５ａの出力が正常でないと判定されてから、ステップＳ２０９でファームウエアの退避処理が完了するまでにかかる時間より十分に長い。
【００３４】
ステップＳ２１０で、レンズＭＰＵ１から磁気破壊の可能性がないことを受信すると、ステップＳ２１１でカメラＭＰＵ６へステップＳ２０９で退避したファームウエアをＭＲＡＭ記憶部６ｂ書き込むことで復帰させる。次に、ステップＳ２１２で、バックアップ制御部７ａは、カメラＭＰＵ６をメモリモードからマイコンモードへ変更して起動する。具体的には、カメラＭＰＵ６のシステム制御部６ａが端子設定をマイコンモードにしてリセットをかける。
【００３５】
一方、ステップＳ２０７の判定でレンズＭＰＵから磁気破壊の可能性があるかの通信を受信していなければ、ステップＳ２１３へ進み、通常の退避ＭＰＵの処理を実行する。具体的には、レンズＭＰＵ１とカメラＭＰＵ６との通信の中継を実施し、以後、ステップＳ２０７及びステップＳ２１３の処理を繰り返す。
【００３６】
前述の構成によれば、ＭＲＡＭ記憶部６ｂを用いることで、バッテリの電力消費を軽減することができるので、長時間の動作が可能となる。かつ、磁気破壊の可能性を判定し、磁気破壊される前にファームウエア退避させる。これにより、強い磁気という条件下でＭＲＡＭ記憶部６ｂに格納されているプログラムが破壊されたとしても、その条件が解消しさえすれば、再び正常に動作するカメラシステムを構築することが可能となる。
【００３７】
（変形例）
前述した実施形態では、説明を簡単に説明するために、退避ＭＰＵ７はカメラＭＰＵ６に対して外付けの部品としたが、外付けである必然性はなく、カメラＭＰＵ６に内蔵してもよいし、同等の機能を有したユニットでもよい。また、磁気検出手段として機能させているＩＳユニット５は、交換レンズ１０１にある必然性はなく、カメラ本体１０２に専用で内蔵してもよい。さらに、カメラ本体１０２のイメージャを駆動することで手ブレ補正を行うカメラシステムでは、イメージャの位置検出に用いられるホール素子を兼用しても本実施形態は同様に適用可能である。
【００３８】
また、本実施形態では、ＭＲＡＭより磁気の影響を受け難い手段として、ＳＤＲＡＭとフラッシュメモリを内蔵した退避ＭＰＵ７を用いているが、これに縛られるものではない。例えば、図３に示すように、磁気シールド１５を施すようにしてもよい。
【００３９】
磁気シールド１５を施すために、一般的な方法としては、高透磁率材料と高導電度材料を使用したシートで囲むようにする。これにより、退避ＭＰＵ７にもＭＲＡＭを適用することが可能となり、カメラシステム全体を磁気シールドする場合と比較して、製品コストの低減と、機器全体の小型化が図れる。
【００４０】
（本発明に係る他の実施形態）
また、本発明は、以下の処理を実行することによっても実現される。即ち、上述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００４１】
１  レンズＭＰＵ、２  レンズ駆動ユニット、３  絞り駆動ユニット、４  距離環位置検出ユニット、５  ＩＳユニット、５ａ  ホール素子、６  カメラＭＰＵ、７  退避ＭＰＵ、８  ＰＣ接続ユニット、９  撮影ユニット、１０  内蔵フラッシュメモリユニット、１１  ＣＦカード記録ユニット、１２  デフォーカス量検出ユニット、１３  ダイヤル／ＳＷユニット、１４  表示ユニット、１５  磁気シールド
【図１】
2011061374.tif 000003
【図２】
2011061374.tif 000004
【図３】
2011061374.tif 000005
【図４】
2011061374.tif 000006
【図５】
2011061374.tif 000007